(57)【特許請求の範囲】
【請求項１】
軸筒内に、複数の筆記体を配設し、各筆記体の後端に配設したスライド部材を、軸筒後端部に一体または付設した収納ケースの収納室に、前記スライド部材に形成した隆起部が、前記収納ケース外周面より突出させて摺動自在に収納するとともに、前記収納ケース後端に頭冠を装着してなるスライド式の多芯筆記具において、前記収納室を径方向に区画して形成し、収納ケースの後端部に前記収納室に連通する挿入孔を形成するとともに、頭冠の底面に凸状の爪部を有する突部を、前記収納室に対応した位置に形成し、前記挿入孔に前記頭冠の突部を挿入して、前記爪部を、収納室に形成した被係合部に係合することにより、頭冠を装着したことを特徴とするスライド式の多芯筆記具。
【請求項２】
前記挿入孔が、前記爪部の外接円の径より小さい径であることを特徴とする請求項１に記載のスライド式の多芯筆記具。
【発明の詳細な説明】
【０００１】
【発明の属する技術分野】
本発明は、軸筒内に、複数の筆記体を配設してなるスライド式の多芯筆記具に関し、さらに詳しくは、頭冠を装着してなるスライド式の多芯筆記具に関する。
【０００２】
【従来の技術】
従来から、装飾効果等の目的により、軸筒やキャップの端部に頭冠を装着している筆記具はよく知られている。こうした頭冠においては、誤って抜けてしまった頭冠を飲み込んでしまう、いわゆる誤飲防止のため、外部に露出している部分の突出量や、軸心方向に、ある一定の力を加えても抜けない力を規定している。
【０００３】
【発明が解決しようとする課題】
軸筒内に複数の筆記体を配設してなる、スライド式の多芯筆記具における頭冠の装着構造としては、頭冠の底面に形成した円筒状の突部と、軸筒後端に形成した嵌合孔との圧入嵌合あるいは乗り越し圧入嵌合により頭冠を装着する構造や、ネジ嵌合により装着していた。スライド式の多芯筆記具においては、軸筒後端部にスライド部材等の出没機構があるため、出没機構の近傍に頭冠の装着部を形成することは難しく、そのため、出没機構からある程度の長さを有する位置に、頭冠を装着しているので、デザインの幅を広げることができなかった。
【０００４】
また、前記した圧入嵌合や乗り越し嵌合の嵌合力の設定は、圧入時にラップする量や乗り越し時に乗り越す凸部の突出量に依存する。嵌合力を高く設定すれば、抜け難くなるが、逆に装着しにくくなるため組立性は悪くなってしまう。組立性を考慮し、嵌合力を弱く設定すると、抜けやすくなってしまうという問題があった。また、ネジ嵌合では、構造が複雑になるため、製造コストが大幅に上がってしまうという問題があった。
【０００５】
本発明等が頭冠の抜け防止を鋭意研究した結果、頭冠を回転させることにより、経時的に嵌合部が摩耗し、当初設定した嵌合力が低下すること、さらに回転方向および軸心方向へ力を加える、捩じり方向への力を加えることにより、軸心方向のみに力を加えるより、頭冠が抜けやすいことに気付き本発明に至ったものであり、本発明は、頭冠の軸芯方向および回転方向への移動を規制し、容易に抜けることがなく、かつ組立性を良くするとともに、出没機構から離間することなく頭冠を装着することができる、スライド式の多芯筆記具を提供することである。
【０００６】
【課題を解決するための手段】
本発明は、軸筒内に、複数の筆記体を配設し、各筆記体の後端に配設したスライド部材を、軸筒後端部に一体または付設した収納ケースの収納室に、前記スライド部材に形成した隆起部が、前記収納ケース外周面より突出させて摺動自在に収納するとともに、前記収納ケース後端に頭冠を装着してなるスライド式の多芯筆記具において、前記収納室を径方向に区画して形成し、収納ケースの後端部に前記収納室に連通する挿入孔を形成するとともに、頭冠の底面に凸状の爪部を有する突部を、前記収納室に対応した位置に形成し、前記挿入孔に前記頭冠の突部を挿入して、前記爪部を、収納室に形成した被係合部に係合することにより、頭冠を装着する。
【０００７】
また、前記挿入孔が、前記爪部の外接円の径より小さい径とするものである。
【０００８】
本発明のスライド式の多芯筆記具とは、例えば、スライド部材の一方の隆起部を軸筒先端方向に前進せしめることで、スライド部材の係止部が軸筒内に形成した被係止部に係止して、前記筆記体の筆記先端部を軸筒先端開口部から選択して突出することができ、他方のスライド部材の隆起部を軸筒先端方向に前進せしめることで、一方の被係止部に係止していた係止部を他方の解除突起が解除させ、さらに他方のスライド部材を前進することにより他方の係止部が被係止部に係止して突出状態を維持する筆記先端部の操り出し機構を有するものである。
【０００９】
【発明の実施の形態】
本発明の実施の形態を、図面を用いて説明する。同部材、同箇所を示すものに対しては、同符号を付してある。
本発明のスライド式の多芯筆記具１は、前軸３ａの後端部に後軸３ｂを螺着し、この後軸３ｂの後端に弾発部材２１により後方に付勢して摺動可能に収納ケース４を配設し、軸筒３ａ、３ｂおよび収納ケース４内に、ボールペン体５とシャープペンシル体９を、弾発部材１４，１５により後方に付勢させ収納している。
ボールペン体５は、インキ収容筒６の先端に、ボール８を回転自在に抱持したチップ部材７を圧入装着してある。シャープペンシル体９は、鉛芯ケース１０に先端パイプ１１を嵌着してある。また、インキ収容筒６および鉛芯ケース１０の後端開口部には、操作体となるスライド部材１２，１３の先端部を圧入装着し、隆起部１２ａ，１３ａが、収納ケース４に形成した切り欠き部１６、１７から軸筒の外周面より突出するような状態に保持する。スライド部材１２，１３の後端には、軸筒の外への飛び出しを防止するため、突起部１２ｂ，１３ｂを形成してある。
【００１０】
シャープペンシル体９を使用する際には、隆起部１３ａを軸筒先端開口部３ｃ方向に前進せしめることで、スライド部材１３の係止部１３ｃが摺動体４に形成した被被子部（図示せず）に係止することにより、シャープペンシル体の先端パイプ１１を先端開口部３ｃから突出させて使用する。ボールペン体５を使用する際には、隆起部１２ａを軸筒先端開口部３ｃ方向に前進せしめることで、スライド部材１２の解除突起１２ｅが、被係止部に係止しているスライド部材１３の玉部１３ｄに当接し、係止部１３ｃを押し出し、スライド部材１３の係止を解除させる。さらに隆起部１２ａを軸筒端開口部３ｃ方向に前進せしめることで、スライド部材１２の係止部１２ｃが被係止部（図示せず）に係止して、ボールペン体５のチップ部材７を突出させて使用することができる。
【００１１】
収納ケース４の端部に頭冠２を装着するには、収納ケース４の後端に、収納室１８，１９に連通する挿入孔２０を形成し、頭冠２の底面に凸状の爪部２ｂを有する突部２ａを収納室１８，１９に対応した位置に形成し、この突部２ａを挿入孔２０に挿入し、突部２ａに形成した凸状の爪部２ｂが挿入孔２０を通過し、収納室１８，１９の後部壁面（挿入孔２０の前端面）である被係合部４ａに爪部２ｂが係合することにより頭冠２を装着してある。
【００１２】
収納室１８，１９は、スライド部材の数に準じて、径方向に区画して形成してあり、突部２ａは、この収納室１８，１９に対応した位置に形成しているので、回転方向への移動を防止する。また、収納ケース４の収納室１８，１９の被係合部４ａに爪部２ｂがそれぞれ係合する際には、切り込み部２ｃにより、容易に内側へ撓み可能であるため挿入しやすく、被係合部４ａに爪部２ｂが係合した際には、内側へ撓んだ突部２ａは元に戻った状態になっているので抜け方向（図４の矢印Ｆ方向）に力が加わっても、頭冠２は容易に抜けることはない。前記爪部と被係合部４ａとの係合は、挿入孔の径Ｍを、爪部２ｂの外接円の径Ｌより小さく設定することにより、容易に設定することができる。
【００１３】
尚、本発明の頭冠の突部の形状は、突部の先端部に凸状の爪部を形成してあるものであれば、特に限定されるものではなく、突部を収納室に対応した位置に形成することが肝要である。また、本実施の形態では、被係合部を、収納室の後部壁面としているが、これに限るものではなく、収納室に爪部が係合する、突部や段部を形成してあればよい。
【００１４】
また、本発明のスライド式の多芯筆記具は、前述したシャープペンシルとボールペンの多芯筆記具に限定されるものではなく、ボールペン３本や４本、あるいはシャープペンシル３本など、一般に知られているスライド式の多芯筆記具に用いることができる。
【００１５】
【発明の効果】
本発明は、前述したような構成なので、頭冠の軸芯方向および回転方向への移動を規制し、容易に抜けることがなく、かつ組立性がよい、頭冠を装着してなるスライド式の多芯筆記具を提供することができた。また、収納室を利用して頭冠を装着しているので、出没機構の位置から離間せずに装着できるため、デザインの幅を広げることができる。
【図面の簡単な説明】
【図１】本発明の第一の実施の形態におけるスライド式の多芯筆記具を示す縦断面図である。
【図２】図１におけるシャープペンシル体を突出した状態を示す縦断面図である。
【図３】図１における一部を省略した要部拡大断面図である。
【図４】図３における、スライド部材を省略した縦断面図である。
【図５】図４における、頭冠の装着前の要部拡大断面図である。
【図６】図４における、Ａ−Ａ断面図である。
【図７】図４における、Ｂ−Ｂ断面図である。
【符号の説明】
１  スライド式の多芯筆記具
２  頭冠
２ａ  突部
２ｂ  爪部
４  収納ケース
４ａ  被係合部
１２、１３  スライド部材
１２ａ、１３ａ  隆起部
１６、１７  切り欠き部
１８、１９  収納室
２０  挿入孔
Ｌ  爪部の外接円の径
Ｍ  挿入孔の径
【図１】
0004549478.tif 000002
【図２】
0004549478.tif 000003
【図３】
0004549478.tif 000004
【図４】
0004549478.tif 000005
【図５】
0004549478.tif 000006
【図６】
0004549478.tif 000007
【図７】
0004549478.tif 000008